(57)【要約】 【課題】  機器の取り外しが容易で、かつ、外部からの振動がその機器へ伝わることや、その機器の動作振動がシャーシへ伝わることを回避することを可能にする。【解決手段】  シャーシの一面に形成された凹部であって、機器を収納し得る空間を有する収納部と、前記収納部の開口部の形状に対応する形状を有し、前記開口部を覆うベース板と、前記ベース板の前記収納部と対向する面に前記機器を取り付ける取付部材と、前記開口部の縁部の複数箇所に設けられる係止穴と、前記ベース板から張り出して設けられ、前記係止穴に嵌合するクッション部材と、を有することを特徴とする機器収納機構を提供する。【選択図】  図４
2007012195.tif 000002
【特許請求の範囲】
【請求項１】
シャーシの一面に形成された凹部であって、機器を収納し得る空間を有する収納部と、
前記収納部の開口部の形状に対応する形状を有し、前記開口部を覆うベース板と、
前記ベース板の前記収納部と対向する面に前記機器を取り付ける取付部材と、
前記開口部の縁部の複数箇所に設けられる係止穴と、
前記ベース板から張り出して設けられ、前記係止穴に嵌合するクッション部材と、
を有することを特徴とする機器収納機構。
【請求項２】
前記ベース板の前記機器が取り付けられる面の反対の面に設けられる金属製のバネ部材を有することを特徴とする機器収納機構。
【請求項３】
前記ベース板が前記開口部を覆っている状態において、前記ベース板を覆って前記シャーシの一面に固定され、かつ固定された状態において前記バネ部材を介して前記ベース板を押圧するカバー部材を
更に有することを特徴とする請求項２記載の機器収納機構。
【発明の詳細な説明】
【技術分野】
【０００１】
本発明は、ハードディスクなどの機器を収納するための機器収納機構に関する。
【背景技術】
【０００２】
楽曲データや映像データなどのコンテンツを記憶するハードディスクドライブ（Hard Disk Drive：以下、「ＨＤＤ」と称する）を備え、ユーザの所望に応じてそれらコンテンツを再生するハードディスクレコーダが普及し始めている。この種のハードディスクレコーダにＨＤＤを取り付ける際には、図５（ａ）に示すＬ字型金具６００ａや図５（ｂ）に示す平型金具６００ｂを用いて、ハードディスクレコーダのシャーシにねじ止めで取り付けることが一般的である（例えば、特許文献１）。なお、以下では、図５（ａ）に示すＬ字型金具６００ａや図５（ｂ）に示す平型金具６００ｂをまとめて「取り付け金具」と称する。
【特許文献１】特開平８−１２９８６４号公報
【発明の開示】
【発明が解決しようとする課題】
【０００３】
しかしながら、図５に示す取り付け金具を用いてＨＤＤを取り付ける態様にあっては、ハードディスクレコーダのシャーシに外部から加わった衝撃や振動がＨＤＤに直接伝わってしまうことになる。一般に、ＨＤＤは、衝撃や振動が加わることに弱く、それら衝撃や振動によって故障が生じてしまう虞がある。このため、上記のようにＨＤＤへ衝撃や振動が直接伝わってしまうことは好ましくない。
【０００４】
また、上記のようにＨＤＤをねじ止めでハードディスクレコーダのシャーシへ取り付ける態様にあっては、ハードディスクレコーダの稼動時にＨＤＤの動作振動がシャーシへ伝わってしまい、例えばＣＤ−ＲＯＭ（Compact Disk-Read Only Memory）ドライブやＤＶＤ（Digital Versatile Disk）などＨＤＤとともにハードディスクレコーダを構成する他の機器にその振動が悪影響を及ぼしてしまったり、コンテンツの再生品質に悪影響を及ぼしてしまったりする懸念もある。特に、再生対象のコンテンツが楽曲データである場合には、音量レベルが低い演奏パートや曲間の無音区間において、ＨＤＤの動作振動による騒音が際だってしまう虞がある。
【０００５】
また、上記のようにＨＤＤをねじ止めで取り付けてしまうと、ハードディスクレコーダのメンテナンスの際やＨＤＤの交換の際に、一々ねじを外さなければならず、ＨＤＤの着脱が非常にわずらわしくなってしまうといった問題点もある。
【０００６】
本発明は上記課題に鑑みて為されたものであり、機器の取り外しが容易で、かつ、外部からの振動がその機器へ伝わることや、その機器の動作振動がシャーシへ伝わることを回避することを可能にする技術を提供することを目的としている。
【課題を解決するための手段】
【０００７】
上記課題を解決するために、本発明は、シャーシの一面に形成された凹部であって、機器を収納し得る空間を有する収納部と、前記収納部の開口部の形状に対応する形状を有し、前記開口部を覆うベース板と、前記ベース板の前記収納部と対向する面に前記機器を取り付ける取付部材と、前記開口部の縁部の複数箇所に設けられる係止穴と、前記ベース板から張り出して設けられ、前記係止穴に嵌合するクッション部材と、を有することを特徴とする機器収納機構、を提供する。
このような態様においては、上記収納部へ収納される機器（例えば、ＨＤＤ）は、ねじなどの取付部材により上記ベース板に取り付けられ、そのベース板に設けられているクッション部材を介して上記シャーシへ係止される。このため、外部から上記シャーシへ加わった振動や衝撃は上記クッション部材により吸収されるため、それら振動や衝撃が上記機器へ伝わることが回避される。また、上記機器の動作振動も上記クッション部材により吸収されるため、その動作振動が上記シャーシへ伝わることも回避される。加えて、機器が取り付けられたベース板は、そのベース板に設けられたクッション部材をシャーシに設けられた係止穴に嵌合させることによってそのシャーシに取り付けられるため、ねじ止めで固定する場合に比較してその着脱が容易になる。
【０００８】
より好ましい態様においては、前記ベース板の前記機器が取り付けられる面の反対の面に設けられる金属製のバネ部材を有することを特徴としており、さらに、好ましい態様においては、前記ベース板が前記開口部を覆っている状態において、前記ベース板を覆って前記シャーシの一面に固定され、かつ固定された状態において前記バネ部材を介して前記ベース板を押圧するカバー部材をさらに有することを特徴としている。
このような態様においては、上記バネ部材がクッションとして機能するため、上記カバー部材に加わった衝撃や振動が上記機器へ直接伝わることが回避される。また、上記バネ部材は金属で形成されているため、ベース板に装着される機器を上記シャーシやカバーを介して接地することも可能になる。
【発明の効果】
【０００９】
本発明によれば、機器の取り外しが容易になり、かつ、外部からの振動がその機器へ伝わることや、その機器の動作振動がシャーシへ伝わることが回避される、といった効果を奏する。
【発明を実施するための最良の形態】
【００１０】
図１は、本発明に係る機器収納機構を有するハードディスクレコーダの斜視図である。
図１においては、説明の便宜上、ハードディスクレコーダの底面を上にした状態で図示されている。図１に示すように、ハードディスクレコーダのシャーシ１００の底面には、機器（本実施形態では、ＨＤＤ）を収納し得る空間となるように形成された収納部１１０が設けられており、その開口部は、カバー部材２００によって覆われるようになっている。なお、図１では、カバー部材２００を取り外した場合について例示されている。また、本実施形態では、ハードディスクレコーダの底面に、機器を収納するための収納部１１０が設けられている場合について説明するが、ハードディスクレコーダの側面や上面に収納部１１０を設けるようにしても良いことは勿論である。
【００１１】
図１のカバー部材２００は、所定の厚みを有する金属板であって、収納部１１０の開口部を覆い尽くす形状に形成されている。図１に示すように、カバー部材２００には、その縁部に、カバー部材２００をシャーシ１００へねじ止めするためのねじ孔が所定の数（図１では、６箇所）だけ設けられており、収納部１１０に収納されているＨＤＤがその稼動時に発する熱を放熱するための通風孔が３行４列に渡って計１２箇所設けられている。なお、これらねじ孔や通風孔の配置位置および数が図１に示す態様に限定されるものではないことは言うまでもない。
【００１２】
収納部１１０の開口部は、図１に示すように、その形状に対応する形状に形成されたベース板３００によって覆われており、このベース板３００の収納部１１０に対向する面には、ＨＤＤ４００がねじ止めで固定されている。
図２は、ベース板３００とそのベース板３００に固定されるＨＤＤ４００とを説明するための図である。なお、図２においては、ＨＤＤ４００は、その底面を上にした状態で例示されている。図２に示すように、ＨＤＤ４００は、扁平な直方体状に形成された本体を有しており、その底面および側面には、そのＨＤＤ４００をねじ止めで各種装置のシャーシなどへ固定する際に利用されるねじ孔が設けられている。これらねじ孔の位置および直径は所定の規格で定められており、何れのメーカのＨＤＤであってもその位置および直径は共通である。なお、図２にて破線で示した４１０は、フラットケーブルや電源コードなどの各種接続コードを接続するためのコネクタである。なお、フラットケーブルとは、ＨＤＤ４００と例えばＣＰＵ（Central Processing Unit）などの他の装置間のデータ授受を仲介するデータ伝送用の接続コードである。
【００１３】
ベース板３００は、所定の厚みを有する金属板であって、収納部１１０の開口部に対応する形状（本実施形態では、ＨＤＤ４００の底面に対応する略長方形状）に形成されており、コネクタ４１０に対応する位置に台形状の切り欠きが設けられている。このベース板３００には、ＨＤＤ４００をねじ（取付部材）５００で固定するためのねじ孔が上記所定の規格にしたがって設けられている。つまり、このベース板３００は、何れのメーカ製のＨＤＤであっても取付部材５００にて固定することができるように構成されている。加えて、ベース板３００には、取付部材５００により固定されているＨＤＤ４００がその稼動時に発する熱を放熱するための通風孔が３列に渡って設けられている。
【００１４】
図２に示すように、ベース板３００には、例えば、ゴムなどの弾性材料で形成されたクッション部材３２０ａ、３２０ｂおよび３２０ｃが、ベース板３００の縁部から外側に向かって突出するように上記コネクタ４１０に対応する辺を除く３辺に設けられている。以下では、上記３つのクッション部材の各々を区別する必要がない場合には、「クッション部材３２０」と表記する。
より詳細に説明すると、クッション部材３２０は、図２に示すように、ベース板３００の上下に所定の高さだけ突出する厚みを有し、かつ、ベース板３００に平行な平面で切断した場合の断面が凸型を為すように形成されている。そして、クッション部材３２０には、図２に示すように、その上端部近傍に、ベース板３００の縁部から内側へ向かう方向に向かって突出する扁平な直方体状のツマミ部３２１が設けられている。なお、本実施形態では、クッション部材３２０がゴムで形成されている場合について説明するが、弾性部材であればどのような材質で形成されていても良い。
【００１５】
図２に示すように、ベース板３００のＨＤＤ４００が装着される面とは反対側の面には、クッション部材３２０ａおよび３２０ｂの近傍に、長方形状の金属辺をそれらクッション部材と略同一の高さを有するアーチ状に撓ませてなるバネ部材３３０ａおよび３３０ｂが設けられている。なお、以下では、これら２つのバネ部材の各々を区別する必要がない場合には、「バネ部材３３０」と表記する。このバネ部材３３０は、クッション部材３２０とともにカバー部材２００へ当接し外部からカバー部材２００へ加えられた衝撃や振動を吸収する一方、ＨＤＤ４００の動作振動を吸収してその動作振動がカバー部材２００へと伝わることを回避するとともに、ベース板３００やカバー部材２００およびシャーシ１００を介してＨＤＤを接地するためのものである。
【００１６】
図１に戻って、収納部１１０には、各クッション部材３２０に対応する位置にそのクッション部材３２０の先端部と隙間なく嵌合する形状に形成された係止穴が設けられており、各クッション部材３２０と対応する係止穴とを嵌合させることによってベース板３００を装着し、そのベース板３００に固定されているＨＤＤ４００を収納部１１０に収納するようになっている。ここで、本実施形態では、上記各クッション部材と各係止穴とを嵌合させることによって、ベース板３００をシャーシ１００に装着しているため、ドライバーなどの工具を使うことなく、例えばツマミ部３２１を指先で持って図３に示す矢印Ａで示す方向に回動させることで、ベース板３００（およびベース板３００に装着されているＨＤＤ４００）をシャーシ１００から取り外すことが可能である。
【００１７】
図３は、上記のようにして取り外したＨＤＤ４００を、そのＨＤＤ４００に固定されているベース板３００を下にしてシャーシ１００の底面上に置いた場合について例示する図である。例えば、ハードディスクレコーダのメンテナンスやＨＤＤの交換を行う際には、図３に示すように、ベース板３００を下にしてシャーシ１００の上に置いた状態で各種接続コードの着脱を行うことができる。そして、メンテナス中やＨＤＤの取替え作業中に何らかの原因によりシャーシ１００に衝撃や振動が加わった場合であっても、それら振動や衝撃はクッション部３２０およびバネ部材３３０により吸収され、それら振動や衝撃がＨＤＤ４００に伝わることはない。また、バネ部材３３０がシャーシアースとして機能するため、静電気などが原因となってＨＤＤ４００が電気的に故障してしまうことも回避される。このように、本実施形態によれば、衝撃や振動、静電気などからＨＤＤ４００を保護しつつ、メンテナンス作業やＨＤＤの取替えを行うことが可能になるといった効果も奏する。
【００１８】
さて、図３に示すように、ハードディスクレコーダのシャーシ１００の底面に設けられている収納部１１０は、底部１１２ａ、１１２ｂおよび１１２ｃと、これらよりも深い位置に形成された底部１１３とを有する２段底形状の凹部として形成されている。
底部１１２ａ、１１２ｂおよび１１２ｃは、カバー部材２００の厚みと略同じ深さに形成されており、それぞれ、係止穴１１１ａ、１１１ｂおよび１１１ｃが、ベース板３００をそれら底部１１２ａ、１１２ｂおよび１１２ｃよりも所定の深さ（本実施形態では、クッション部材３２０の厚みの略半分）の位置に固定（図１参照）するとともに、それら係止穴に嵌合する各クッション部材３２０の上端が、底部１１２ａ、１１２ｂおよび１１２ｃと略一面になるような位置に設けられている。一方、底部１１３は、ベース板３００が装着された場合に、そのベース板３００からの距離がＨＤＤ４００の厚みよりも大きくなる深さに、ＨＤＤの底面よりも一回り大きい長方形状（本実施形態では、クッション部材３２０の基部の厚みの分だけ大きい長方形状）に形成されている。
【００１９】
図４は、ＨＤＤ４００が取り付けられたベース板３００をシャーシ１００へ装着し、さらに、カバー部材２００を取り付けた状態のハードディスクレコーダを図１に示すＸ−Ｘ´方向に切断した場合の断面を表す断面図である。図４に示すように、本実施形態に係るハードディスクレコーダにおいては、各クッション部材３２０を介してＨＤＤ４００がシャーシ１００に組みつけられおり、かつ、各クッション部材３２０の基部の厚みにより、ＨＤＤ４００は、収納部１１０の壁面および底部１１３から離間して収納されている。このため、シャーシ１００に対して外部から加わった振動や衝撃はクッション部材３２０によって吸収され、それら振動や衝撃がＨＤＤ４００へ直接伝わることはない。逆に、ＨＤＤ４００の動作振動もクッション部材３２０によって吸収されるため、その振動がシャーシ１００へ伝わることもない。
このように、本実施形態に係る機器収納機構によれば、ＨＤＤの取り外しが容易になるとともに、外部からの振動がＨＤＤへ伝わることや、そのＨＤＤの動作振動がシャーシへ伝わることが回避される、といった効果を奏する。また、本実施形態に係る機器収納機構によれば、例えばＨＤＤ全体を弾性部材で覆って衝撃や振動から保護する態様に比較して、ＨＤＤの周囲に空隙が確保されており、ＨＤＤがその稼動時に発する熱を効率良く放熱させることが可能になるといった効果も奏する。
【００２０】
以上、本発明の１実施形態について説明したが、上記実施形態を以下に述べるように変形しても良いことは勿論である。
上述した実施形態では、本発明に係る機器収納機構をハードディスクレコーダに適用する場合について説明したが、ノート型パソコンなどのコンピュータ装置に本発明を適用するとしても良いことは勿論である。また、上述した実施形態においては、本発明に係る収納機構により収納される機器が、ＨＤＤである場合について説明したが、ＣＤ−ＲＯＭドライブやＤＶＤドライブなどであっても良いことは勿論である。要は、外部から振動や衝撃が伝わることや、作動振動が外部へ伝わることを回避する必要がある機器であれば、どのような機器であっても良い。
【００２１】
また、上述した実施形態では、３つのクッション部材を夫々対応する係止穴に嵌合させうることによって、いわゆる３点支持によりベース板３００をシャーシ１００に装着する場合について説明したが、例えば、クッション部材３２０ａや３２０ｂをその長手方向（すなわち、ベース板３００の長辺に沿った方向）に充分に大きく形成しておけば、これら２つのクッション部材のみでベース板３００をシャーシ１００に装着するようにしても良い。
【図面の簡単な説明】
【００２２】
【図１】本発明に係る機器収納機構を有するハードディスクレコーダのシャーシ１００とカバー部材２００とを説明するための図である。
【図２】同シャーシ１００の収納部１１０に収納されるＨＤＤ４００とそのＨＤＤ４００の底面に装着されるベース板３００とを説明するための図である。
【図３】同収納部１１０を説明するための図である。
【図４】同ハードディスクレコーダの断面図である。
【図５】従来の取り付け金具の一例を示す図である。
【符号の説明】
【００２３】
１００…シャーシ、１１０…収納部、１１１ａ，１１１ｂ，１１１ｃ…係止穴、１１２ａ，１１２ｂ，１１２ｃ，１１３…底部、２００…カバー、３００…ベース板、３２０ａ，３２０ｂ，３２０ｃ…クッション部材、３３０ａ，３３０ｂ…バネ部材、４００…ＨＤＤ。
【図１】
2007012195.tif 000003
【図２】
2007012195.tif 000004
【図３】
2007012195.tif 000005
【図４】
2007012195.tif 000006
【図５】
2007012195.tif 000007